【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
第１の電極および第２の電極と、
前記第１の電極と前記第２の電極の間に設けられ、電界発光可能な有機化合物を含む電界発光膜とを有し、
前記電界発光膜の中にフローティング電極である電荷発生層が埋め込まれ、
前記第１の電極と前記電界発光膜との間、および前記第２の電極と前記電界発光膜との間には、それぞれ絶縁層が設けられていることを特徴とする有機エレクトロルミネッセント素子。
【請求項２】
第１の電極および第２の電極と、
前記第１の電極と前記第２の電極の間に設けられ、電界発光可能な有機化合物を含む第１および第２の電界発光層と、
前記第１の電界発光層と前記第２の電界発光層との間に設けられ、フローティング電極である電荷発生層とを有し、
前記第１の電極と前記第１の電界発光層との間、および前記第２の電極と前記第２の電界発光層との間には、それぞれ絶縁層が設けられていることを特徴とする有機エレクトロルミネッセント素子。
【請求項３】
第１の電極および第２の電極と、
前記第１の電極と前記第２の電極の間に設けられ、電界発光可能な有機化合物を含む第１乃至第ｎの電界発光層と（ただし、ｎは２以上の整数）、
フローティング電極である第１乃至第ｍの電荷発生層とを有し（ただし、ｍは１以上の整数、かつ、ｎ＝ｍ＋１）、
前記第１乃至第ｎの電界発光層と前記第１乃至第ｍの電荷発生層とが交互に設けられ、
前記第１の電極と前記第１の電界発光層との間、および前記第２の電極と前記第ｎの電界発光層との間には、それぞれ絶縁層が設けられていることを特徴とする有機エレクトロルミネッセント素子。
【請求項４】
第１の電極及び第２の電極と、
前記第１の電極と前記第２の電極の間に設けられ、電界発光可能な有機化合物を含む電界発光膜とを有し、
前記電界発光膜の中にフローティング電極である電荷発生層が埋め込まれ、
前記第１の電極と前記電界発光膜との間、および前記第２の電極と前記電界発光膜との間には、それぞれ前記第１の電極および前記第２の電極から前記電界発光膜へのキャリア注入を防ぐ絶縁層が設けられていることを特徴とする有機エレクトロルミネッセント素子。
【請求項５】
第１の電極及び第２の電極と、
前記第１の電極と前記第２の電極の間に設けられ、電界発光可能な有機化合物を含む電界発光膜とを有し、
前記電界発光膜の中にフローティング電極である電荷発生層が埋め込まれ、
前記第１の電極と前記電界発光膜との間、および前記第２の電極と前記電界発光膜との間には、それぞれ前記第１の電極および前記第２の電極から前記電界発光膜へのキャリア注入を防ぐ絶縁層が設けられており、
交流バイアスにより動作することを特徴とする有機エレクトロルミネッセント素子。
【請求項６】
請求項１、請求項４、請求項５のいずれか一項に記載の有機エレクトロルミネッセント素子において、
前記電界発光膜は、バイポーラ性の層を含むことを特徴とする有機エレクトロルミネッセント素子。
【請求項７】
請求項１、請求項４、請求項５のいずれか一項に記載の有機エレクトロルミネッセント素子において、
前記電界発光膜は、電子輸送性の有機化合物とホール輸送性の有機化合物とが混合されたバイポーラ性混合層を有することを特徴とする有機エレクトロルミネッセント素子。
【請求項８】
請求項１、請求項４、請求項５のいずれか一項に記載の有機エレクトロルミネッセント素子において、
前記電界発光膜は、π共役系またはσ共役系を有し、かつバイポーラ性である高分子化合物を含むことを特徴とする有機エレクトロルミネッセント素子。
【請求項９】
請求項２に記載の有機エレクトロルミネッセント素子において、
前記第１および第２の電界発光層は、バイポーラ性の層を含むことを特徴とする有機エレクトロルミネッセント素子。
【請求項１０】
請求項２に記載の有機エレクトロルミネッセント素子において、
前記第１および第２の電界発光層は、電子輸送性の有機化合物とホール輸送性の有機化合物とが混合されたバイポーラ性混合層を有することを特徴とする有機エレクトロルミネッセント素子。
【請求項１１】
請求項２に記載の有機エレクトロルミネッセント素子において、
前記第１および第２の電界発光層は、π共役系またはσ共役系を有し、かつバイポーラ性である高分子化合物を含むことを特徴とする有機エレクトロルミネッセント素子。
【請求項１２】
請求項３に記載の有機エレクトロルミネッセント素子において、
前記第１乃至第ｎの電界発光層は、バイポーラ性の層を含むことを特徴とする有機エレクトロルミネッセント素子。
【請求項１３】
請求項３に記載の有機エレクトロルミネッセント素子において、
前記第１乃至第ｎの電界発光層は、電子輸送性の有機化合物とホール輸送性の有機化合物とが混合されたバイポーラ性混合層を有することを特徴とする有機エレクトロルミネッセント素子。
【請求項１４】
請求項３に記載の有機エレクトロルミネッセント素子において、
前記第１乃至第ｎの電界発光層は、π共役系またはσ共役系を有し、かつバイポーラ性である高分子化合物を含むことを特徴とする有機エレクトロルミネッセント素子。
【請求項１５】
請求項１、請求項２、請求項４乃至１１のいずれか一項に記載の有機エレクトロルミネッセント素子において、
前記電荷発生層は有機化合物を含むことを特徴とする有機エレクトロルミネッセント素子。
【請求項１６】
請求項１５に記載の有機エレクトロルミネッセント素子において、
前記電荷発生層には、前記有機化合物に対するアクセプタまたはドナーの少なくとも一方が含まれていることを特徴とする有機エレクトロルミネッセント素子。
【請求項１７】
請求項１５に記載の有機エレクトロルミネッセント素子において、
前記電荷発生層には、前記有機化合物に対するアクセプタおよびドナーの両方が含まれていることを特徴とする有機エレクトロルミネッセント素子。
【請求項１８】
請求項１、請求項２、請求項４乃至１１のいずれか一項に記載の有機エレクトロルミネッセント素子において、
前記電荷発生層は、単一の材料で形成されていることを特徴とする有機エレクトロルミネッセント素子。
【請求項１９】
請求項１、請求項２、請求項４乃至１１のいずれか一項に記載の有機エレクトロルミネッセント素子において、
前記電荷発生層は、導電膜を真性半導体で挟み込んだ構造であることを特徴とする有機エレクトロルミネッセント素子。
【請求項２０】
請求項１、請求項２、請求項４乃至１１のいずれか一項に記載の有機エレクトロルミネッセント素子において、
前記電荷発生層は、導電膜をレドックスポリマーで挟み込んだ構造であることを特徴とする有機エレクトロルミネッセント素子。
【請求項２１】
請求項１、請求項２、請求項４乃至１１のいずれか一項に記載の有機エレクトロルミネッセント素子において、
前記電荷発生層は、導電膜を有機導電体で挟み込んだ構造であることを特徴とする有機エレクトロルミネッセント素子。
【請求項２２】
請求項１、請求項２、請求項４乃至請求項１１、請求項１５乃至請求項２１のいずれか一項に記載の有機エレクトロルミネッセント素子において、
前記電荷発生層の導電率は、１０−１０Ｓ／ｍ以上であることを特徴とする有機エレクトロルミネッセント素子。
【請求項２３】
請求項３、請求項１２、請求項１３、請求項１４のいずれか一項に記載の有機エレクトロルミネッセント素子において、
前記１乃至第ｍの電荷発生層は有機化合物を含むことを特徴とする有機エレクトロルミネッセント素子。
【請求項２４】
請求項２３に記載の有機エレクトロルミネッセント素子において、
前記１乃至第ｍの電荷発生層には、前記有機化合物に対するアクセプタまたはドナーの少なくとも一方が含まれていることを特徴とする有機エレクトロルミネッセント素子。
【請求項２５】
請求項２３に記載の有機エレクトロルミネッセント素子において、
前記１乃至第ｍの電荷発生層には、前記有機化合物に対するアクセプタおよびドナーの両方が含まれていることを特徴とする有機エレクトロルミネッセント素子。
【請求項２６】
請求項３、請求項１２、請求項１３、請求項１４のいずれか一項に記載の有機エレクトロルミネッセント素子において、
前記１乃至第ｍの電荷発生層は、単一の材料で形成されていることを特徴とする有機エレクトロルミネッセント素子。
【請求項２７】
請求項３、請求項１２、請求項１３、請求項１４のいずれか一項に記載の有機エレクトロルミネッセント素子において、
前記１乃至第ｍの電荷発生層は、導電膜を真性半導体で挟み込んだ構造であることを特徴とする有機エレクトロルミネッセント素子。
【請求項２８】
請求項３、請求項１２、請求項１３、請求項１４のいずれか一項に記載の有機エレクトロルミネッセント素子において、
前記１乃至第ｍの電荷発生層は、導電膜をレドックスポリマーで挟み込んだ構造であることを特徴とする有機エレクトロルミネッセント素子。
【請求項２９】
請求項３、請求項１２、請求項１３、請求項１４のいずれか一項に記載の有機エレクトロルミネッセント素子において、
前記１乃至第ｍの電荷発生層は、導電膜を有機導電体で挟み込んだ構造であることを特徴とする有機エレクトロルミネッセント素子。
【請求項３０】
請求項３、請求項１２、請求項１３、請求項１４、請求項２３乃至請求項２９のいずれか一項に記載の有機エレクトロルミネッセント素子において、
前記１乃至第ｍの電荷発生層の導電率は、１０−１０Ｓ／ｍ以上であることを特徴とする有機エレクトロルミネッセント素子。